(57)【要約】【課題】移動通信システムにおいて、無瞬断ハンドオーバを実現すること。【解決手段】移動通信ネットワークにおいて、移動端末１００が通信中にセル２２０間を移動すると、同セル範囲をもつ両無線基地局２００から互いに異なる非同期タイミングで受信される同一のデータを含むフレームを移動交換局３００で受信、識別し、それらのヘッダ情報から最もエラー率の低いものを選択し、指示されたタイミングでフレームを交換し、また、上記複数無線基地局３００へ送信すべきフレームの複製を行い、それらのヘッダ情報から送信タイミングを特定し、同タイミングで送信することで、無瞬断ハンドオーバを行う。【選択図】　図１
2004080830.tif 000002
【特許請求の範囲】
【請求項１】
　移動端末と通信を行う複数の基地局と接続され、該複数の基地局各々から送信される通信情報を処理する情報処理装置であって、
　前記移動端末の出力であって、前記複数の基地局の各々を介して非同期タイミングで送信される前記通信情報を受信する受信部と、
　非同期タイミングで送信される前記通信情報各々の同期を取るために、前記受信部で受信した前記通信情報を一時的に蓄積するバッファと、
　前記バッファに蓄積された複数の通信情報から、より状態の良い通信情報を選択する選択部と、
　を備えることを特徴とする情報処理装置。
【請求項２】
　前記受信部により受信される前記通信情報の各々には、同一のハンドオーバに関する情報が含まれることを特徴とする請求項１記載の情報処理装置。
【請求項３】
　前記選択部は、前記バッファに蓄積された複数の通信情報から、前記同一のハンドオーバに関する情報を含む通信情報を該通信情報に含まれる宛先情報から識別し、最もエラー率の低い通信情報を選択することを特徴とする請求項２記載の通信装置。
【請求項４】
　前記選択部によって選択されなかった通信情報は廃棄することを特徴とする請求項１乃至請求項３記載の情報処理装置。
【請求項５】
　前記通信情報は、可変長のパケットであることを特徴とする請求項１乃至請求項４記載の情報処理装置。
【請求項６】
　前記通信情報は、固定長のパケットであることを特徴とする請求項１乃至請求項４記載の情報処理装置。
【発明の詳細な説明】
【技術分野】
【０００１】
　本発明は、移動通信システムにおいて、無瞬断ハンドオーバを実現する装置に関するものである。
【背景技術】
【０００２】
　ＣＤＭＡ方式（符号分割多元接続方式）を用いる移動通信システムでは、無瞬断ハンドオーバが実現されている。例えば、米国では携帯電話の標準として、非特許文献１には無線インタフェースについて規定されている。同様に、非特許文献２には無線基地局―移動交換局間のインタフェースについて規定されている。
【０００３】
　これらの移動通信システムでは、通信中のサービスエリア切替技術として、ソフトハンドオーバ技術が採用されている。このソフトハンドオーバ技術は、移動端末―移動交換局間に複数の通信パスを同時に設定し、これら複数の通信パスを介して、同一通信データを送受信し、受信側においてエラー率の低いデータを選択、もしくは同一通信データを合成し、エラー率の低いデータ通信を行うものである。これにより、ハンドオーバ時のチャネル切替時に使用チャネルに不連続が発生しないため、データの欠落が生じず、無瞬断でハンドオーバが実現される。
【０００４】
【非特許文献１】ＥＩＡ／ＴＩＡ／ＩＳ−９５
【０００５】
【非特許文献２】ＥＩＡ／ＴＩＡ／ＩＳ−６３４
【発明の開示】
【発明が解決しようとする課題】
【０００６】
　しかし、上述の技術では、移動通信システムのデータ転送がＳＴＭ系（同期転送系）で行われることが前提となっている。例えば、無線基地局―移動交換局間の伝送路において、各データを含むフレームの同期が保たれていると、特定タイミングにおいてのみフレームの送受信が行われる。このため、移動交換局の制御部では伝送路上の特定スロットとコネクションの関連付けを行うだけで、特に送受信時にスロット、フレーム単位での同期を別途行う必要はない。従って、ソフトハンドオーバが起動された場合でも、（同ハンドオーバに関するあらかじめ明白で）同時もしくは異なる特定タイミングで受信される各スロット等のデータを、それぞれ比較し選択することが可能となる。また、複数の無線基地局のそれぞれへ同一データを送信する場合にも、同データを複製し、ハンドオーバ用のスロット等にて送信を行えば、無線基地局側もしくは移動端末側で対応するスロット等のデータを合成、選択し、容易に無瞬断ハンドオーバ（ソフトハンドオーバ）が実現される。
【０００７】
　一方、上記伝送路をＡＴＭ化（非同期系）し、上記各データを、ＡＴＭセルを用いて伝送することにより回線利用効率の向上をはかることが提案されている。
【０００８】
　これらの非同期系を伝送路に採用した場合にも、ハンドオーバの際に情報の連続性を保たなければならないという第１の課題がある。
【０００９】
　また、上記伝送路がＡＴＭ化されると、上記のように送受信タイミング、コネクション及びチャネルの関係が一義的に特定されなくなる。
【００１０】
　また、移動交換局において、無線基地局から互いに異なる非同期タイミングで受信される複数データの中から、同一のハンドオーバに関する同一データを含むセルもしくはフレームを識別しなければならないという第２の課題がある。
【００１１】
　また、無線基地局から受信されるセルもしくはフレーム単位で、コネクションを特定し、併せてハンドオーバ起動中か否かを判定し、セルもしくはフレーム単位で、これらの比較、選択処理を逐次行わなければならないという第３の課題がある。
【００１２】
　また、無線基地局へ送信するセルもしくはフレームは、ハンドオーバ起動中であれば、これらを複製後、無線基地局との交渉により定められた遅延、ゆらぎ等を最小限にするタイミングで、これらを同時に送信しなければならないという第４の課題がある。
【００１３】
　本発明の目的は、上記伝送路等、移動端末―移動交換局間に非同期系の伝送路が存在した場合にも、無瞬断ハンドオーバを実現する移動通信システムを提供することにある。
【００１４】
　さらに、本発明の目的は、無瞬断ハンドオーバ起動中の上記移動通信システムにおける移動交換局において、無線基地局から互いに異なる非同期タイミングで受信される複数データの中から、同一のハンドオーバに関する同一データ含むセルもしくはフレームを識別する手段を提供することにある。
【００１５】
　さらに、本発明の目的は、上記識別されたセルもしくはフレームの各々のエラー率を比較し、最もエラー率の低いものを選択し、指示されたタイミングで同セルもしくはフレームを送信する手段を提供することにある。
【００１６】
　また、さらに本発明の目的は、無瞬断ハンドオーバ起動中の上記移動通信システムにおける移動交換局において、無線基地局へ送信すべきデータを複製し、複製されたデータを含むセルもしくはフレームを特定のタイミングで同時に送信する手段を提供することにある。
【課題を解決するための手段】
【００１７】
　本発明は上記した目的を達成するために、複数の移動端末、それらを収容する複数の無線基地局、それらを収容する移動交換局から構成される移動通信ネットワークにおいて、無線基地局から互いに異なる非同期タイミングで受信される複数データの中から、同一のハンドオーバに関する同一データ含むセルもしくはフレームを、それらのヘッダ情報から識別し、識別されたフレームのエラー率を比較し、最もエラー率の低いものを選択し、指示されたタイミングで同セルもしくはフレームを送信し、また、無線基地局へ送信すべきデータを、同データに関する情報（ヘッダ情報）から複製を行い、複製されたデータを含むセルもしくはフレームを、それらのヘッダ情報から送信タイミングを特定し、同タイミングで同時に送信する。
【発明の効果】
【００１８】
　以上のように本発明によれば、移動通信ネットワークにおいて、移動端末からのデータを含むフレーム（ＡＴＭセル、ショートセル、パケットを含む）の各々が非同期で受信されても、同フレームに関するヘッダ情報、移動交換局保持の情報から、コネクションの特定が可能となり、また、同コネクションにおいて、ハンドオーバが起動されているか否かを、フレーム単位で識別可能となることで、従来、ＳＴＭ系でのみ実現されていた無瞬断ハンドオーバ時の同一データを含む複数フレーム間の比較、選択が実現される。また、移動交換局から移動端末に対して送信すべき複製されたデータを含むフレームを、特定されたタイミングで同時に送信することで、受信側の無線基地局もしくは移動端末において、ＳＴＭ系と同様のフレームの選択、合成が容易に実現される。さらに、上記からＳＴＭ系でのみ実現されていた無瞬断ハンドオーバを、ＡＴＭ系においても実現することを可能にする。
【発明を実施するための最良の形態】
【００１９】
　以下、本発明の実施例について、図面を参照して詳細に説明する。
【実施例１】
【００２０】
　図１は、本発明が適用される移動体通信ネットワークシステムの概略的構成、および同ネットワークにおいて本発明を用いて無瞬断ハンドオーバが実施されている概略を示す。このネットワークは、複数の移動端末（ＭＳ）１００を収容する。各無線基地局（ＢＳ）２００は複数の無線回線１５０を介して、移動端末１００と接続される。セル２２０は各無線基地局が移動端末１００と一定品質以上で通信が行える範囲である。移動交換局（ＭＳＣ）３００は複数の有線伝送路２５０を介して複数の無線基地局２００を収容する。また、移動交換局３００は上位網接続回線９００を介して上位網と接続される。
【００２１】
　いま移動端末１００が、セル２２０Ａとセル２２０Ｂのエリア境界付近を移動中（セル２２０Ａからセル２２０Ｂの方向へ移動）であり、かつ、無瞬断ハンドオーバが起動されている場合、移動端末１００は、無線回線１５０Ａ、１５０Ｂのそれぞれを介して、無線基地局２００Ａ、無線基地局２００Ｂのそれぞれと同時に通信を行う。移動端末１００から送信される通信用データと制御用データは、無線回線１５０Ａ−無線基地局２００Ａ−有線回線２５０Ａ経由と、無線回線１５０Ｂ−無線基地局２００Ｂ−有線回線２５０Ｂ経由で、同一データが異なるパスを介して移動交換局３００に伝送され、同交換局において、本発明を適用し、上記同一データの合成もしくは選択が行われる。一方、移動交換局３００から移動端末１００に対して送信される通信用データと制御データは、同交換局において、本発明を適用し、複製処理が行われ、複製化された同一データが、それぞれ、有線回線２５０Ａ−無線基地局２００Ａ−無線回線１５０Ａ経由、有線回線２５０Ｂ−無線基地局２００Ｂ−無線回線１５０Ｂ経由で、移動端末１００に伝送され、同端末において、上記同一データの合成もしくは選択が行われる。
【００２２】
　図２は本発明が具体的に実施される移動交換局３００の構成概略を示す。
【００２３】
　対ＢＳインタフェース部３０１は、複数接続される無線基地局２００からの有線回線２５０を収容し、また、データ形式変換、もしくはフレーム組立／分解を行う。例えば、有線回線２５０でのデータ形式がＡＴＭセルで、無瞬断ハンドオーバ処理部４００での形式がフレーム形式である場合、ＡＴＭセルからフレームへの組立、またその逆を行う。無瞬断ハンドオーバ処理部４００は、無瞬断ハンドオーバ起動時に異なるパスを経て伝達される上りの同一データ（フレーム）の合成もしくは選択を行う。また、同処理部は異なる無線基地局に対して同一データを送信する必要から下りのデータの複製も行う。さらには同処理部では、移動交換局３００―無線基地局２００―移動端末１００間を伝達される通信用データと制御データが同一フレームもしくはパケットに混在して送受信される場合、両データの分離、合成も行う。スイッチ３０２は、無線基地局側もしくは上位網側から／へ伝達されるデータが伝送される回線のスイッチングを行う。また、スイッチ３０２はパケットスイッチやＡＴＭスイッチであることもある。対上位網インタフェース部３０３は、上位網からの回線９００を収容し、対ＢＳインタフェース部同様、データ形式変換、 もしくはフレーム組立／分解を行う。制御部３０４は移動交換局３００内部の各装置の制御を行う。制御部３０４はプログラムやデータを保持するメモリ３０６と、演算処理を行い各装置を実際に制御するＭＰＵ３０５から構成される。制御用信号線３１０は、移動交換局３００内部の各装置間で、データも含めて制御信号を送受信するための信号線である。
【００２４】
　図３は、無瞬断ハンドオーバ処理部の内部概略を示す。
【００２５】
　無瞬断ハンドオーバの起動／未起動に関わらず、対ＢＳインタフェース部３０１から受信される上りデータフレーム（以下、上りフレーム）は、フレーム同期／合成処理部５００へ伝達される。この上りフレームとは、通信用もしくは／及び制御用データが固定長もしくは可変長の特定長のフレームとして扱われるものを指す。パケット、ＡＴＭセルも以下では同様にフレームとして扱う。無瞬断ハンドオーバが起動されていない場合は、上りフレームは、ヘッダ変換以外は行われず、スイッチ３０２へ伝送される。また、同フレーム内に通信用データと制御用データが混在していた場合、それらの分離が行われ、制御用データに関しては
、制御部３０４へ伝送され、通信用データフレームはスイッチ３０２へ伝送される。無瞬断ハンドオーバが起動されている場合は、異なる無線基地局２００から伝送された同一データを有する複数上りフレームの同期をとり、同複数フレームに付与される合成パラメータを比較し、最適なフレームを唯一選択し、スイッチ３０２へ伝送する。また、同フレーム内に通信用データと制御用データが混在していた場合、それらの分離が行われ、制御用データに関しては、制御部３０４へ伝送され、通信用データフレームはスイッチ３０２へ伝送される。合成パラメータとは、各フレーム毎に付与される同フレームに関するエラー情報を示す指標である。
【００２６】
　スイッチ３０２から受信される下りデータフレーム（以下、下りフレーム）は、フレーム同報処理部６００へ伝達される。通信用データと制御用データのフレーム内混在が許容されている場合は、制御部３０４から受信した制御用データを、スイッチ３０２から受信される上りフレーム（通信用データで構成される）と合成を行うことも可能である。こうして構成された下りフレームは、無瞬断ハンドオーバが起動されいない場合は、ヘッダ変換のみが行われて、対ＢＳインタフェース部３０１へ伝送する。一方、無瞬断ハンドオーバが起動されている場合、同一呼で複数各々回線接続されている無線基地局に同一データを送信するために、本処理部において、上記下りフレームを複数接続分だけ複製を行い、ヘッダのみ異なるものを付与し（異なる無線基地局宛にデータフレームを送信するため）、同時タイミングで複製された複数下りフレームを対ＢＳインタフェース部３０１へ送信する。
【００２７】
　ここで、以下、特に指示されない限りは、「ハンドオーバ」とは「無瞬断ハンドオーバ」のことを指すものとする。
【００２８】
　図４は、フレーム同期／合成処理部５００の内部構成を示す。
【００２９】
　チャネル番号処理部５１０は、受信した上りフレームに付与されているチャネル番号を抽出し、同番号をチャネル―コネクション管理テーブル５２０へ送信する。そして、同テーブルから受信されたコネクション番号、ハンドオーバ情報、同時接続番号を新たに上りフレームに付与し、ＨＯ／非ＨＯフレーム分離部へ送信する（ＨＯ：ハンドオーバ）。チャネル番号とは、無線基地局２００―移動交換局３００間ので、同番号の付与されているフレームが伝送されたチャネルを特定する番号で、通常、呼毎に設定される。コネクション番号とはエンド―エンドの通信を特定する番号で、呼毎に唯一特定される。通常の通信中（ハンドオーバ
未起動）はチャネル番号はコネクション番号に１対１対応する。ハンドオーバ起動中は、同一データが異なる無線基地局２００から伝送されるため、１コネクション番号に複数チャネル番号が対応付けられる。このコネクション番号とチャネル番号の対応付けは、ハンドオーバ起動時に、制御部３０４において関係付けられる。同時接続番号とは、ハンドオーバ起動中に、最大Ｎ同時接続中の第ｎ番目接続であることを示す番号で、チャネル番号と１対１に対応付けて保持される。ハンドオーバ未起動時は、同時接続番号は常に１である。ハンドオーバ情報とは、ハンドオーバ処理が起動されているか否かを示し、起動されている場合には、
最大同時接続数Ｎ値を含む。ハンドオーバ未起動時は、Ｎは１である。
【００３０】
　チャネル―コネクション管理テーブル５２０は、呼の設定から解放までの間、上記コネクション番号とチャネル番号の関係を保持するテーブルであり、さらに同呼に関してハンドオーバが起動されているか否かの情報（ハンドオーバ情報）も同時に保持する。本テーブルで管理されるデータは全て制御部３０４からの制御のもとで、書込み、保持、消去が行われる。テーブル内詳細構成は、図５に示す。
【００３１】
　ＨＯ／非ＨＯフレーム分離部５３０は、受信した上りフレームのハンドオーバ情報からハンドオーバ起動／未起動を認識する。ハンドオーバ未起動の場合、以後、同フレームは特に処理されることなく、フレーム信号多重部５８０へ伝送される。ハンドオーバ起動中の場合は、番号／合成パラメータ分析処理部５４０へ伝送される。
【００３２】
　番号／合成パラメータ分析処理部５４０では、フレームに付与されているコネクション番号、フレーム番号、合成パラメータ、同時接続番号、ハンドオーバ情報（最大同時接続数Ｎ）を抽出して、合成パラメータ比較処理部に伝送する。一方、同フレームはコネクション別フレーム分配部５５０へ伝送される。フレーム番号とは、移動端末１００、もしくは無線基地局２００、もしくは対ＢＳインタフェース部３０１において、同一コネクションに関して連続して伝送される上りデータをフレーム化（分解）する際に、分解されたフレームの順序を表すための番号である。これらフレームをデータ、情報に組立の際は、このフレーム番号順
　合成パラメータ比較処理部５５０では、受信されたコネクション番号、フレーム番号、合成パラメータ、同時接続番号、ハンドオーバ情報（最大同時接続数Ｎ）をもとにして、合成パラメータテーブル５５１上に一時的に同情報を保持する。同テーブル内の詳細構成は図６に示される。合成パラメータテーブル５５１上において、同一コネクション番号、同一フレーム番号の項目で、各同時接続番号に対応する合成パラメータ値の全ての書込みが終了されたのが認識された時点で、同合成パラメータの比較を開始する。比較対象である複数合成パラメータの中で、最もフレームのエラー率の低いことを示すパラメータ値を選択し、同パラメータ値を有するフレームを、最大同時接続数Ｎ受信されている同一データ有する上りフレームの中から選択し、スイッチ３０２へ送信することを決定する。特定のコネクション番号、特定のフレーム番号において、選択すべきフレームが上記処理によって決定された後、同じコネクション番号を有し、同時接続番号が異なる複数のフレームを一時的に保持している同一コネクション対応バッファ群５７０に対して、各保持されているフレーム毎に、送信もしくは廃棄を指示する信号（送信指示信号）を送信する。
【００３３】
　コネクション別フレーム分配部５６０では、上りフレームに付与されているコネクション番号を識別し、コネクション毎に設定されるバッファ群の該当バッファ群に同フレームを送信する。
【００３４】
　同一コネクション対応バッファ群５７０とは、ハンドオーバが起動中の各コネクション毎に、異なる同時接続番号に対応して、複数バッファが割り当てられているバッファ群である。同一コネクション対応バッファ群５７０では、受信したフレームに付与されている同時接続番号を識別し、各同時接続番号毎に一時的に設けられる複数バッファの中で、上記同時接続番号に対応するバッファに、同フレームを蓄積する。本バッファ群に蓄積された同一コネクション異同時接続番号の複数フレームは、合成パラメータ比較処理部５５０からの送信指示信号により、各フレームの送信及び廃棄を行う。送信指示信号は、特定のコネクション番号
、フレーム番号で、異なる同時接続番号の複数フレームの中で、特定の同時接続番号のフレームのみを、フレーム信号多重部５８０に送信することを指示し、残りの同時接続番号のフレームに関しては、破棄することを指示する。
【００３５】
　フレーム信号多重部５８０では、ＨＯ／非ＨＯフレーム分離部５３０から受信される非ＨＯフレーム、および、同一コネクション対応バッファ群から受信されたＨＯフレームを多重し、信号分離部５９０へ送信する。
【００３６】
　信号分離部５９０では、受信されたフレームが、通信用データと制御用データが混在しているフレームである場合、制御用データのみを抽出し、同制御用データを制御用信号線３１０を介して、制御部３０４へ送信する。一方、残りの通信用データはヘッダ情報と併せて、スイッチ３０２へフレームとして送信される。
【００３７】
　図５は、コネクション―チャネル管理テーブル５２０のデータ保持構成を示す。
【００３８】
　コネクション―チャネル管理テーブル５２０において保持されるデータの項目は、コネクション番号５２０、チャネル番号５２５、同時接続番号５２６、およびハンドオーバ情報５２２として無瞬断ハンドオーバＯｎ／Ｏｆｆ５２３と最大同時接続数５２４である。同時接続番号５２６以外は、呼設定時およびハンドオーバ起動同時に制御部３０４から伝達される情報であり、その消去も制御部３０４の指示により行われる。同時接続番号５２６に関しては、最大同時接続数５２４から設定される。例えば、最大同時接続数が「２」の場合は、同時接続番号５２６としては。「１」と「２」が設定される。
【００３９】
　図６は、合成パラメータテーブル５５１のデータ保持構成を示す。
【００４０】
　合成パラメータテーブル５５１において保持されるデータの項目は、コネクション番号５５２、最大同時接続数５５３、フレーム番号５５４、同時接続番号５５５、合成パラメータ５５６である。上記全ての情報が、合成パラメータ比較処理部５５０から伝達され、保持される。特定コネクション番号、特定フレーム番号に関して、合成パラメータ値が全て保持された時点で、合成パラメータ比較処理部５５０から同合成パラメータ値は読み出され、読み出し対象となった合成パラメータに関するフレーム番号５５４項目部分、同時接続番号５５５項目部分、合成パラメータ５５６項目部分は消去される。これら一連の処理は、コネクション番号、フレーム番号対応に行われる。
【００４１】
　図７は、フレーム同期／合成処理部５００内部における特定呼の特定上りフレームに関するフレーム伝達および制御信号伝達シーケンスを示す。
【００４２】
　呼設定と同時に、制御部３０４はその呼に関連付られたチャネル番号とコネクション番号をチャネル―コネクション管理テーブル５２０へ伝達する（７０１）。また、ハンドオーバ起動時には、ハンドオーバ情報も同様の経路で伝達する。これら制御部３０４から送信された情報は、チャネル―コネクション管理テーブル５２０で一時的に保持される。
【００４３】
　チャネル番号分析処理部５１０は、通信用データ、制御用データおよびヘッダ情報（チャネル番号、フレーム番号含む）からなる上りフレーム１（７０２）を、対ＢＳインタフェース部３０１から受信する。同処理部５１０は、同上りフレーム１（７０２）からチャネル番号を抽出し、チャネル―コネクション管理テーブル５２０へ送信する（７１１）。
【００４４】
　チャネル―コネクション管理テーブル５２０では、受信したチャネル番号７１１をもとにコネクション番号、ハンドオーバ情報、同時接続番号が読み出され、チャネル番号分析処理部へ送信される（７１２）。
【００４５】
　チャネル番号分析処理部５１０では受信されたコネクション番号、ハンドオーバ情報、同時接続番号を新たなヘッダ情報として上りフレーム１（７０２）に付与し、フレーム分配部５３０へ上りフレーム２（７１３）を送信する。
【００４６】
　フレーム分配部５３０では、上りフレーム２（７１３）のヘッダ情報（ハンドオーバ情報）からハンドオーバ起動中のフレームか否かを識別し、ハンドオーバ起動中のフレームと識別された場合は、上りフレーム２（７１３）と同様の上りフレーム３（７３１）を番号／合成パラメータ分析処理部５４０へ送信する。ハンドオーバ未起動であれば、上りフレーム２（７１３）と同様の上りフレーム９（７３２）をフレーム信号多重部５８０へ送信する。
【００４７】
　番号／合成パーラメータ分析処理部５４０では、上りフレーム３（７３１）のヘッダ情報からコネクション番号、フレーム番号、同時接続番号、最大同時接続数、合成パラメータ値を抽出し、合成パラメータ比較処理部５５０へこれら情報を送信する（７４２）。上りフレーム３（７３１）は同様の形式で上りフレーム４（７４１）としてコネクション別フレーム分配部５６０へ送信される。
【００４８】
　合成パラメータ比較処理部５５０では、番号／合成パラメータ分析処理部５４０から受信した合成情報７４２を合成パラメータテーブル５５１で一時的に保持する。合成パラメータテーブル５５１において１つのハンドオーバに関する最大同時接続数分の合成パラメータが全て受信、保持された時点で、これら複数合成パラメータ値を読み出し、最も上りフレームのエラー値が低いことを示す値を選択し、同パラメータ値に関する同時接続番号を有する上りフレームのみを選択、送信することを決定し、その他の同時接続番号に関す上りフレームに関しては、廃棄の決定を行う。送信および廃棄の決定がされた後、フレームの送信もしくは廃棄を指示する送信可否信号７５１を、同一コネクション別バッファ群５７０の該当するコネクションの各バッファへそれぞれ送信する。
【００４９】
　コネクション別フレーム分配部５６０では、受信された上りフレーム４（７４１）のヘッダ情報（コネクション番号）から該当する同一コネクション別バッファ群５７０へ、上りフレーム４（７４１）と同様の上りフレーム５（７６１）を送信する。
【００５０】
　同一コネクション別バッファ群５７０では、同一コネクション毎に最大同時接続数分のバッファを有し、上りフレーム５（７６１）のヘッダ情報である同時接続番号から、それぞれ対応するバッファへフレーム５（７６１）を蓄積する。そして、合成パラメータ比較処理部５５０からフレームの送信を指示する送信可否信号７５１ａを受信した場合は、上りフレーム５（７６１）と同様の上りフレーム６（７７１）をフレーム信号多重部５８０へ送信する。一方、合成パラメータ比較処理部５５０からフレームの廃棄を指示する送信可否信号７５１ｂ、ｃを受信した場合は、各バッファにおいてフレームの廃棄処理が行われる。
【００５１】
　フレーム信号多重部５８０では、同一コネクション別バッファ群５７０から受信される上りフレーム６（７７１）、および、フレーム分配部５３０から受信される上りフレーム９（７３２）を同様の形式のフレーム７（７８１）として多重処理後、信号分離部５９０へ送信する。
【００５２】
　信号分離部５９０では、受信された上りフレーム７（７８１）が通信用データと制御用データの混在フレームの場合は、制御データを抽出し、制御信号７９２として制御部３０４へ送信する。通信用データとヘッダ情報とからなるフレームは、上りフレーム８（７９１）としてスイッチ３０２へ送信される。
【００５３】
　図８は、フレーム同報処理部６００の内部構成を示す。
【００５４】
　信号合成部６１０は、スイッチ３０２から受信された、ヘッダを除くと通信用データのみの下りデータフレーム（以下、下りフレーム）に対して、制御部３０４から受信された移動端末１００を制御するための制御用データを合成する。この合成により、信号合成部６１０より送信される下りフレームは、通信用データと、制御用データが混在することも許容する。この合成後、同フレームはフレーム番号付与部６２０へ送信される。
【００５５】
　フレーム番号付与部６２０では、受信された下りフレームのヘッダに付与されているコネクション番号を認識、抽出し、フレーム番号カウンタ６３０へ送信する。その後、フレーム番号カウンタ６３０から返送されたフレーム番号を、同フレームに新たに付与し、コネクション番号解析部６４０へ送信する。
【００５６】
　フレーム番号カウンタ６３０では、コネクション番号毎にシーケンシャルな番号カウンタを保持する。このカウンタは呼設定開始時から呼解放時まで保持される。フレーム番号付与部６２０から受信されたコネクション番号を識別し、同コネクション番号の現カウンタ値を読み出し、同値をフレーム番号付与部６２０へ返送する。また、同時にカウンタ値をカウントアップする。
【００５７】
　コネクション番号解析部６４０では、フレーム番号付与部６２０から受信された下りフレームのコネクション番号を識別、抽出し、チャネル―コネクション管理テーブル６５０へ送信される。その後、同テーブルからハンドオーバ情報とチャネル番号を受信する。これら下りフレームに関する情報は、下りフレームとは別にフレーム信号複製処理部６６０へ送信される。ハンドオーバ起動時には、上記チャネル番号は複数となる。一方、下りフレームは、特に処理をされずにフレーム信号複製処理部６６０へ送信される。チャネル―コネクション管理テーブル６５０は、フレーム同期／合成処理部５００内部のチャネル―コネクション管理テーブル５２０と同様のものである。
【００５８】
　フレーム信号複製処理部６６０では、コネクション番号解析部６４０から下りフレームと同フレームに関する諸情報（ハンドオーバ情報およびチャネル番号）を受信する。ハンドオーバ情報から、同フレームに関する呼がハンドオーバ起動中であることが識別された場合、ハンドオーバ情報の一部である最大同時接続数と同数分、受信した下りフレームを複製する。複製された下りフレームには、上記既に受信されているそれぞれ異なるチャネル番号が新たに付与されることで、同報先の無線基地局が特定される。さらに、複製されたフレームは、付与されているコネクション番号から、対応するコネクション別バッファ群６７０に送信さ
れる（複製されたフレームのコネクション番号は、全て同値であるので、同一のバッファ群に送信される）。一方、ハンドオーバが未起動の場合は、フレームの複製は行われないが、新たにチャネル番号が付与されて対応するコネクション別バッファ群６７０に送信される。
【００５９】
　コネクション別バッファ群６７０は、フレーム同期／合成処理部５００内部のコネクション別バッファ群５７０と同様のもので、その処理も同様である。ただし、タイミング制御部６８０から受信するタイミング制御信号は、全て送信を指示する信号である。このタイミング制御信号を受信して、同一コネクションに関する各バッファから同一フレーム番号の下りフレームを送信することで、同タイミングの同報を行う。ハンドオーバが未起動の場合も、上記同様にタイミング制御信号を受信して、下りフレームは送信される。
【００６０】
　タイミング制御部６８０は、呼設定時および／もしくは通信中に制御部３０４から同呼に関するフレーム送信タイミング情報を受信し、同フレーム送信タイミング情報をもとに、同一コネクション別バッファ群６７０に対して、タイミング制御信号を送信する。
【００６１】
　フレーム信号多重部６９０では、同一コネクション別バッファ群６７０から受信される複数の下りフレームを多重し、対ＢＳインタフェース部３０１へ送信する。
【００６２】
　図９は、フレーム同報処理部６００内部における特定呼の特定下りフレームに関するフレーム伝達および制御信号伝達シーケンスを示す。
【００６３】
　信号合成部６１０では、スイッチ３０２から受信される下りフレーム１（８０１）と制御部３０４から受信される制御信号８０２を合成し、下りフレーム２（８１２）としてフレーム番号付与部６２０へ送信する。下りフレーム１（８０１）は、通信用データとヘッダ情報（コネクション番号含む）から構成されている。制御信号８０２に移動交換局３００から移動端末１００を制御するための制御データから構成されている。
【００６４】
　フレーム番号付与部６２０では、信号合成部６１０から受信された下りフレーム２（８１２）のヘッダ情報からコネクション番号を抽出し、フレーム番号カウンタ部６３０へ送信する（８２１）。その後、フレーム番号カウンタ部６３０から返送されたフレーム番号８２２を同下りフレーム２（８１２）の新たなヘッダ情報として追加し、下りフレーム３（８２３）としてコネクション番号解析部６４０へ送信する。
【００６５】
　フレーム番号カウンタ部６３０では、受信されたコネクション番号から、各コネクション毎に設けられているカウンタの何れかに対応するかを判別し、対応するカウンタのカウンタ値を読み出し、フレーム番号付与部６２０へ返送する。また、カウンタ値読み出し後は、同カウンタ値をカウントアップする。
【００６６】
　コネクション番号解析部６４０では、フレーム番号付与部６２０から受信された下りフレーム３（８２３）のヘッダ情報からコネクション番号を抽出し、チャネル―コネクション管理テーブル６５０へ送信する。その後、コネクション番号８４２の応答として、ハンドオーバ情報、チャネル番号、同時接続番号を受信し（８５１）、同各情報をフレーム信号複製処理部６６０へ送信する（８４３）。一方、下りフレーム３（８２３）は、同様の形式で下りフレーム４（８４１）として、フレーム信号複製処理部６６０へ送信される。
【００６７】
　チャネル―コネクション管理テーブル６５０は、フレーム同期／合成処理部５００のチャネル―コネクション管理テーブル５２０と同様の動作を行う。
【００６８】
　フレーム信号複製処理部６６０では、下りフレーム４（８４１）と同フレームに関する情報（８４３）として、ハンドオーバ情報、チャネル番号、同時接続番号を受信する。ハンドオーバ情報からハンドオーバ起動中が識別された場合は、同情報内の最大同時接続数と同数分、下りフレーム４（８４１）を複製する。複製された下りフレーム４（８４１）には、それぞれに送信先の無線基地局およびチャネルを特定するチャネル番号と、同チャネル番号と対応付けられている同時接続番号が新たにヘッダ情報として追加される。これらの処理後、下りフレーム４（８４１）から複製された下りフレーム５（８６１）のヘッダ情報であるコネクション番号と同時接続番号から、対応する同一コネクション番号バッファ群６７０の各バッファに対して、同下りフレーム５（８６１）は送信される。ハンドオーバ未起動時は、フレームの複製はされないが、上記同様のフレーム５（８６１）が同一コネクション番号バッファ群６７０へ送信される。一方、上記下りフレーム５（８６１）送信後、タイミング制御部６８０に下りフレーム５（８６１）の送信が完了したことを送信完了信号８６２を送信することで伝達する。送信完了信号８６２には、コネクション番号、最大同時接続数、フレーム番号も含まれる。
【００６９】
　タイミング制御処理部６８０では、送信完了信号８６２を受信すると、同信号内部情報のコネクション番号、最大同時接続数、フレーム番号から、対応する特定の同一コネクション別バッファ群６７０の各バッファに、蓄積している下りフレーム５（８６１）で対応するフレーム番号を有する全ての下りフレーム５（８６１）を送信することを、送信指示信号８８１によって、伝達する。また、送信指示信号８８１の送信可能なタイミングは、呼設定時、もしくはハンドオーナ起動時に、制御部３０４から通知され、このタイミング情報において送信指示信号８８１を送信する。
【００７０】
　同一コネクション別バッファ群６７０の下りフレーム５（８６１）を蓄積している各バッファは、タイミング制御処理部６８０から送信指示信号８８１を受信すると、同信号の内部情報であるフレーム番号から、該当するフレーム番号を有する下りフレーム５（８６１）をフレーム信号多重部６９０へ下りフレーム６として送信する。
【００７１】
　フレーム信号多重部６９０では、同一コネクション別バッファ群６７０送信される下りフレーム６（８７１）を下りフレーム７（８９１）として多重処理し。対ＢＳインタフェース部３０１へ送信する。
【実施例２】
【００７２】
　実施例１の移動交換局３００では、フレーム同期/合成部５５０とフレーム同報処理部６００の各々に、チャネルーコネクション管理テーブル５２０とチャネルーコネクション管理テーブル６５０を備える構成としたが、両チャネル―コネクション管理テーブル５２０、６５０は、１つのテーブルとして、フレーム同期／合成処理部５００とフレーム同報処理部６００の共通部分とすることもできる。
【図面の簡単な説明】
【００７３】
【図１】本発明に関する移動通信システムの構成を示す図である。
【図２】本発明に関する移動交換局の内部構成を示す図である。
【図３】本発明に関する移動交換局内部の無瞬断ハンドオーバ部の構成を示す図である。
【図４】本発明に関する無瞬断ハンドオーバ部内部のフレーム同期／合成部の構成を示す図である。
【図５】本発明に関するフレーム同期／合成部内部のチャネル―コネクション管理テーブルを示す図である。
【図６】本発明に関するフレーム同期／合成部内部の合成パラメータテーブルを示す図である。
【図７】本発明に関するフレーム同期／合成部におけるデータフレームおよび信号送受シーケンス図である。
【図８】本発明に関する無瞬断ハンドオーバ部内部のフレーム同報部の構成を示す図である。
【図９】本発明に関するフレーム同報部におけるデータフレームおよび信号送受シーケンス図である。
【符号の説明】
【００７４】
１００…移動端末
１５０…無線回線
２００…無線基地局
２５０…有線回線（ＡＴＭ化伝送路）
３００…移動交換局
３０１…対ＢＳインタフェース部
３０２…スイッチ
３０３…対上位網インタフェース
３０４…制御部
４００…無瞬断ハンドオーバ部
５００…フレーム同期／合成処理部
５２０…チャネル―コネクション管理テーブル
５５１…合成パラメータテーブル
６００…フレーム同報処理部
７０１〜７９９…フレーム同期／合成処理部内フレーム信号もしくは制御信号
８０１〜８９９…フレーム同報処理部内フレーム信号もしくは制御信号
９００…上位網接続回線
【図１】
2004080830.tif 000003
【図２】
2004080830.tif 000004
【図３】
2004080830.tif 000005
【図４】
2004080830.tif 000006
【図５】
2004080830.tif 000007
【図６】
2004080830.tif 000008
【図７】
2004080830.tif 000009
【図８】
2004080830.tif 000010
【図９】
2004080830.tif 000011